(57)【特許請求の範囲】
【請求項１】
引掛シーリングローゼットに取り付けられる電源コネクタを有するアダプターと、配線コネクタを有する照明器具本体とを接続する照明器具取付装置であって、
前記アダプターに取り付けられるアダプター取付用プレートと、
前記アダプタ―取付用プレートの下面に設けられた灯具接続具とから構成され、
前記アダプター取付用プレートは、前記アダプターが嵌り込む大きさの内穴を有し、
前記灯具接続具は、底面と前記底面の周囲に立設された側面とを有し、
前記底面に照明器具取付部が設けられ、
前記灯具接続具が、前記底面の周囲に立設された第一の側壁部と、前記第一の側壁部上端外周に周設された第一の鍔部と
前記第一の鍔部の上面に立設された複数の吊下部材とから構成され、
前記複数の吊下部材が前記アダプター取付用プレートの下面に固定されることで、
前記灯具接続具の前記側面に開口部を形成し、
前記開口部を覆う開口部カバーが設けられ、
前記開口部カバーが第三の側壁部と前記第三の側壁部下端の内側に設けられた第三の鍔部とから構成された筒状体を左右に２分割した形状を有し、
前記開口部カバ―は前記第三の側壁部上部内周に設けられた上部係合溝と前記第三の側壁部下部内周に設けられた下部係合溝とを有し、
前記上部係合溝が前記アダプター取付用プレートに、
前記下部係合溝が前記第一の鍔部に各々係合することを特徴とする照明器具取付装置。
【請求項２】
引掛シーリングローゼットに取り付けられる電源コネクタを有するアダプターと、配線コネクタを有する照明器具本体とを接続する照明器具取付装置であって、
前記アダプターに取り付けられるアダプター取付用プレートと、
前記アダプタ―取付用プレート下面に設けられた開口部を有する筒状の灯具接続具と、
前記開口部を覆う開口部カバーとから構成され、
前記アダプター取付用プレートは、前記アダプターが嵌り込む大きさの内穴を備えたリング形状を有し、
前記灯具接続具は、底面と前記底面の周囲に立設された第一の側壁部と、前記第一の側壁部上端外周に周設された第一の鍔部と
前記第一の鍔部の上面に立設された複数の吊下ボルトとから構成され、
前記複数の吊下ボルトの上端が前記アダプター取付用プレートに固定されることで前記開口部を形成し、
前記開口部カバーが、第二の側壁部と前記第二の側壁部下端の内側に設けられた第二の鍔部とから構成される筒状の形状を有し、
前記第二の鍔部内側に前記灯具接続具の前記第一の側壁部以下が挿通され、前記複数の吊下ボルトの内、所定の吊下ボルトが前記第一の鍔部を貫通して前記第二の鍔部に設けられたボルト穴を貫通し、前記所定の吊下ボルトに螺合されたナットで前記第二の鍔部が前記第一の鍔部に固定されることを特徴とする照明器具取付装置。
【請求項３】
前記アダプターは円柱形状であって、前記アダプターは、前記アダプターの水平方向に突出する２個以上の突出部を備え、前記２個以上の突出部は前記アダプターの側面周方向に均等間隔に配置され、
前記アダプター取付用プレートは、前記アダプターの横断面形状に沿った内穴を有し、
前記アダプター取付用プレートの内穴は、前記アダプターの円柱形状に沿った円形穴部と前記２個以上の突出部の形状に沿った切欠穴部とから構成され、
前記アダプターが前記突出部を含めて嵌り込む構造を備え、
前記アダプター取付用プレートを前記アダプターに嵌め込んで、前記アダプター取付用プレートを前記アダプターに対して
回転させることで、前記アダプター取付用プレートを前記アダプタ―の突出部上に載置可能となることを
特徴とする請求項１又は２のいずれか１項に記載の照明器具取付装置。
【請求項４】
前記アダプター取付用プレートは、ストッパーを有し、
前記ストッパーは、前記アダプター取付用プレートが、前記アダプター取付用プレートを前記アダプターに嵌め込む位置に戻ることを阻止することを
特徴とする請求項３に記載の照明器具取付装置。
【請求項５】
前記ストッパーは、下向きの突起よりなり、
前記突起は、前記アダプター取付用プレートの前記切欠穴部において、前記アダプター取付用プレートの回転方向と交差する縁に形成されていることを
特徴とする請求項４に記載の照明器具取付装置。
【発明の詳細な説明】
【技術分野】
【０００１】
本発明は、天井に照明器具を取り付けるための照明器具取付装置に関するものである。
【背景技術】
【０００２】
従来から照明器具を天井に固定する方式として、後掲の特許文献１〜３に開示されるように、天井の給電側から伸びる電源コネクタと照明器具側から伸びる配線コネクタとを接続した後に、照明器具取付装置により照明器具を天井に固定するものが採用されている。
【０００３】
特許文献1には、 天井に固着されたシーリングローゼットの下面に着脱自在に係止されるプラグ本体の周面に係止段部を有する引掛プラグと、前記引掛プラグを嵌入する嵌入孔と前記嵌入孔の内周面に径方向に出没自在に設けられた一対の係止部材とを備えたアダプター本体と、前記アダプター本体を取り付けた照明器具本体とを備え、前記引掛プラグの係止段部に、前記アダプタ本体の一対の係止部材が着脱自在に係止されることで前記照明器具本体が取り付けられる照明器具取付装置において、前記照明器具本体の外周部の複数箇所に、前記天井面に対して当接する調整用ネジを配したことを特徴とする照明器具取付装置が開示されている。
【０００４】
また、特許文献２には、照明器具と電気的に接続される引掛刃を有した引掛シーリングキャップと、屋内の電気配線に接続された引掛刃用刃受部を有し天井に取り付けられる引掛シーリングボディとを備え、引掛刃を引掛刃用刃受部に嵌合することにより引掛シーリングキャップと引掛シーリングボディが電気的及び機械的に接続される照明器具取付装置において、上方に突出する係合部が引掛シーリングキャップの上面に設けられ、係合部が挿入されるとともに引掛刃が引掛刃用刃受部に嵌合した状態において係合部と係合する係合孔が引掛シーリングボディの下面に設けられたことを特徴とする照明器具取付装置が開示されている。
【０００５】
さらに、特許文献３には、天井に装着可能なアダプター本体に、照明器具本体と着脱自在に係合する一対の係止部材を出没自在に、且つ、突出方向に付勢して設けると共に、前記係止部材の解除突片をテ−パ−形状とし、前記解除突片のテ−パ−形状にスプリングにより常に前記解除突片のテ−パ−部にスライド可能に当接されるスライド部材を設け、前記係止部材と前記スライド部材とを連動させることでアダプタ−本体下面に設けてある接続コネクタは前記係止部材がアダプタ−本体側面より没入している時は前記スライド部材の内部に隠れ、前記係止部材がアダプタ−本体側面より突出している時、電源接続コネクタは自動に露出し照明器具本体側からの電源コネクタを接続可能にし、照明器具本体側からの電源コネクタを接続することでスライド部材が電源コネクタの端部に当接し移動が規制され係止爪の没入をロックすることを特徴とする天井直付け照明器具取付装置が開示されている。
【０００６】
また、後掲の特許文献４には、引掛シーリングに取り付けられ、電源コネクタを有するアダプターと、配線コネクタを有する照明器具とを接続する照明器具取付装置であって、灯具接続具、可動カバー、天井固定金具、間隔調節ボルト、天井接触金具、及び、弾力性材から構成され、灯具接続具は、照明器具が着脱自在に取り付けられると共に、天井固定金具と適宜の間隔をおいて間隔調節ボルトにより連結され、可動カバーは、灯具接続具及び間隔調節ボルトを覆い包むと共に、天井固定金具に着脱自在に取り付けられ、天井固定金具と天井接触金具との間に弾力性材が挟み込まれて一体となり、一体となった天井固定金具、弾力性材及び天井接触金具がアダプターに着脱可能に取り付けられ、灯具接続具と天井固定金具との間に形成された間隔から外部へアダプターの電源コネクタと照明器具の配線コネクタとをそれぞれ引き出すことを可能とした照明器具取付装置が開示されている。
【先行技術文献】
【特許文献】
【０００７】
【特許文献１】特開２００５−３５３３１９号広報
【特許文献２】特開２００８−４７３５８号広報
【特許文献３】特開２０１０−１６５６５０号広報
【特許文献４】特開２０１５−６９７８２号広報
【発明の概要】
【発明が解決しようとする課題】
【０００８】
しかしながら、特許文献１〜３に開示された照明器具取付装置は、天井の給電線側から伸びる電源コネクタと照明器具側から伸びる配線コネクタとを接続した後、照明器具を照明器具取付装置により天井に固定する構造のものであるため、照明器具を持ち上げながら天井の給電線側から伸びる電源コネクタと照明器具側から伸びる配線コネクタとを接続しなければならず、困難を伴うものであった。すなわち、このコネクタ同士を接続する作業は高所で行うものであり、かつ重量のある照明器具を支えながら片手で接続作業を行う必要があることから、作業性が極めて低いものであった。
【０００９】
また、特許文献４に開示された照明器具取付装置は、照明器具を天井に取り付けた後に天井の給電線側から伸びる電源コネクタと照明器具側から伸びる配線コネクタとを接続することができる照明器具取付装置であるが、部品点数が多く、そのために取付作業が複雑であるという欠点があった。
【００１０】
そこで本発明は上記の問題点を解決することを課題としており、部品点数を減少させた上で、照明器具を容易に仮止めすることができ、その状態で天井引掛シーリングローゼット側の電源ケーブルと照明器具側の配線ケーブルとを容易に接続することができる照明器具取付装置を提供することを目的としている。
【課題を解決するための手段】
【００１１】
上記目的を達成するために本発明は、照明器具取付装置を天井に仮止めした後に電源コネクタと配線コネクタとの接続作業を行うための開口部を有することを主な特徴とする。
【００１２】
すなわち、第１の本発明の照明器具取付装置は、引掛シーリングローゼットに取り付けられる電源コネクタを有するアダプターと、配線コネクタを有する照明器具本体とを接続する照明器具取付装置であって、アダプターに取り付けられるアダプター取付用プレートと、アダプタ―取付用プレートの下面に設けられた灯具接続具とから構成され、アダプター取付用プレートは、アダプターが嵌り込む大きさの内穴を有し、灯具接続具は、底面と底面の周囲に立設された側面とを有し、底面に照明器具取付部が設けられ、側面に開口部が設けられていることを特徴とする。
【００１３】
第１の本発明の照明器具取付装置は、灯具接続具が下面に設けられたアダプタ―取付用プレートの内穴外周が、予め天井に設けられている引掛シーリングローゼットに係合するアダプタ―の外面に設けられた、例えば出没片または尾ネジに係合することで、簡単に天井に固定される。そして、その後に灯具接続具の側面の開口部からアダプター側の電源ケーブルの先端の電源コネクタと灯具側の配線ケーブルの先端の配線コネクタとを簡単に接続することができる。このように、アダプターとアダプタ―取付用プレートの係合により、先ず照明器具を天井から落下しないように保持した後に、作業者は両手で電源コネクタと配線コネクタとの接続作業を行うことができる。
【００１４】
さらに、第２の本発明の照明器具取付装置は、第１の本発明において、灯具接続具が、底面の周囲に立設された第一の側壁部と、第一の側壁部上端外周に周設された第一の鍔部と第一の鍔部の上面に立設された複数の吊下部材とから構成され、複数の吊下部材がアダプター取付用プレートの下面に固定されることで、開口部を形成することを特徴とする。
【００１５】
複数の吊下部材によって、アダプタ―取付用プレートの下に空間を設けて筒状の灯具接続具を吊下することで、開口部を形成することができる。  
【００１６】
さらに第３の本発明の照明器具取付装置は、第２の本発明において、吊下部材が、ボルトとボルトに螺合するナットとで構成されていることを特徴とする。ボルトとナットの組み合わせにより、アダプタ―取付用プレートの下に灯具接続具を吊下することで、開口部の上下幅の設定が容易になる。
【００１７】
さらに第４の本発明の照明器具取付装置は、第２の本発明において、吊下部材が、板状又は柱状の形状を有することを特徴とする。開口部の上下間隔を一定に設定する場合は、板状又は柱状の吊下部材を採用することで、構造が単純になり部品点数を減らすことができる。
【００１８】
さらに第５の本発明の、照明器具取付装置は、第１〜第４のいずれか１つの本発明において、前記開口部を覆う開口部カバーが設けられたことを特徴とする。開口部カバーを設けることで、塵埃の侵入を防止するとともに意匠性の向上を図ることができる。
【００１９】
さらに第６の本発明の照明器具取付装置は、第２〜第４のいずれか１つの本発明において、開口部を覆う開口部カバーが設けられ、開口部カバーが、第二の側壁部と第二の側壁部下端の内側に設けられた第二の鍔部とから構成される筒状の形状を有し、第二の鍔部内側に灯具接続具の第一の側壁部以下が挿通され、第一の鍔部の下面に第二の鍔部の上面が接合されることを特徴とする。
【００２０】
電源コネクタと配線コネクタとを接続した後に開口部カバーを上方に押し上げて、アダプタ―取付用プレートの下面に固定することで、容易に塵埃の侵入を防止するとともに意匠性の向上を図ることができる。開口部カバーのアダプタ―取付用プレートの下面への固定は、第一の鍔部と第二の鍔部に各々が係合する係合片を設けることで実現できる。また、第一の鍔部の下面から下方に向けて複数のボルトを設けるとともに、第二の鍔部にこれらのボルトが貫通するボルト穴を設けて、ボルト穴を貫通させたボルトにナットを螺合して、第二の鍔部を第一の鍔部に固定することができる。
【００２１】
さらに第７の本発明の照明器具取付装置は、第２〜第４のいずれか１つの本発明において、開口部を覆う開口部カバーが設けられ、開口部カバーが第三の側壁部と第三の側壁部下端の内側に設けられた第三の鍔部とから構成された筒状体を左右に２分割した形状を有し、開口部カバ―は第三の側壁部上部内周に設けられた上部係合溝と第三の側壁部下部内周に設けられた下部係合溝とを有し、上部係合溝がアダプター取付用プレートに、下部係合溝が第一の鍔部に各々係合することを特徴とする。
【００２２】
左右に分割された開口部カバーを電源コネクタと配線コネクタの接続後に、灯具接続具に左右から挟み込んで装着できるので、開口部カバーの装着が容易である。
【００２３】
さらに第８の本発明の照明器具取付装置は、第１〜第７のいずれか１つの本発明において、アダプター取付用プレートがリング形状を有することを特徴とする。この形状を有することにより、円柱状の引掛シーリングローゼットにしっかりと係合する。
【００２４】
さらに第９の本発明の照明器具取付装置は、引掛シーリングローゼットに取り付けられる電源コネクタを有するアダプターと、配線コネクタを有する照明器具本体とを接続する照明器具取付装置であって、アダプターに取り付けられるアダプター取付用プレートと、アダプタ―取付用プレート下面に設けられた開口部を有する筒状の灯具接続具と、開口部を覆う開口部カバーとから構成され、アダプター取付用プレートは、アダプターが嵌り込む大きさの内穴を備えたリング形状を有し、灯具接続具は、底面と底面の周囲に立設された第一の側壁部と、第一の側壁部上端外周に周設された第一の鍔部と第一の鍔部の上面に立設された複数の吊下ボルトとから構成され、複数の吊下ボルトの上端がアダプター取付用プレートに固定されることで、開口部を形成し、開口部カバーが、第二の側壁部と前記第二の側壁部下端の内側に設けられた第二の鍔部とから構成される筒状の形状を有し、第二の鍔部内側に灯具接続具の第一の側壁部以下が挿通され、複数の吊下ボルトの内、所定の吊下ボルトが第一の鍔部を貫通して第二の鍔部に設けられたボルト穴を貫通し、所定の吊下ボルトに螺合されたナットで第二の鍔部が第一の鍔部に固定されることを特徴とする。所定の吊下ボルトを灯具接続具の吊下と開口部カバーの固定に兼用することで、部品点数の削減が実現できる。
【００２５】
さらに第１０の本発明の照明器具取付装置は、第１〜第９のいずれか１つの本発明において、アダプターは、アダプターの側面に水平方向に突出する２個以上の突出部を備え、アダプター取付用プレートは、アダプターの横断面形状に沿った内穴を有することで、アダプターが突出部を含めて嵌り込む構造を備え、アダプター取付用プレートをアダプターに嵌め込んで、アダプター取付用プレートをアダプターに対して回転させることで、アダプター取付用プレートをアダプタ―の突出部上に載置可能となることを特徴とする。
【００２６】
アダプター取付用プレートは、アダプターの横断面形状に沿った内穴を備えており、アダプター取付用プレートは、その内穴によってアダプターの下方から嵌り込んで上方に抜ける構造になっている。そしてアダプター取付用プレートはアダプターの下からアダプターの突出部とアダプター取付用プレートの内穴に設けられた切欠穴部とを合せるようにしてアダプターに嵌めこみ、アダプターからアダプター取付用プレートを上方に抜け出させた後に、アダプター取付用プレートを回転させてアダプター取付用プレートをアダプターの突出部上に載置することができる。
【００２７】
さらに第１１の本発明の照明器具取付装置は、第１０の本発明において、アダプターは円柱形状であって、２個以上の突出部はアダプターの側面周方向に均等間隔に配置され、アダプター取付用プレートの内穴は、アダプターの円柱形状に沿った円形穴部と２個以上の突出部の形状に沿った切欠穴部とから構成されることを特徴とする。
【００２８】
さらに第１２の本発明の照明器具取付装置は、第１０又は第１１の本発明において、アダプター取付用プレートは、ストッパーを有し、ストッパーは、アダプター取付用プレートが、アダプター取付用プレートをアダプターに嵌め込む位置に戻ることを阻止することを特徴とする。ストッパーが有ることで、アダプター取付用プレートが振動等で自然に回転してアダプタ―から外れることを防止できる。
【００２９】
さらに第１３の本発明の照明器具取付装置は、第１２の本発明においてストッパーは、下向きの突起よりなり、突起は、アダプター取付用プレートの切欠穴部において、アダプター取付用プレートの回転方向と交差する縁に形成されていることを特徴とする。
【発明の効果】
【００３０】
本発明の照明器具取付装置は、照明器具取付装置を天井に固定した後に電源コネクタと配線コネクタとの接続作業を行うための開口部を有するので、照明器具を手で支える必要がなく、両手で電源コネクタと配線コネクタとの接続作業を行うことができる。さらに開口部を覆う開口部カバーを設けた場合は、塵埃の侵入を防止するとともに意匠性の向上を図ることができる。
【図面の簡単な説明】
【００３１】
【図１】本発明の第一実施例であって、アダプター取付用プレートをアダプタ―に固定する前の状態を示した構造説明用の一部切欠斜視図である。
【図２】本発明の第一実施例であって、アダプタ―取付用プレートをアダプターに固定した状態を示した構造説明用の一部切欠斜視図である。
【図３】本発明の第一実施例であって、開口部カバーを取り付けた状態を示した構造説明用の一部切欠斜視図である。
【図４】本発明の第一実施例であって、開口部カバーを取り付けた状態を示した外観の斜視図である。
【図５】本発明の第二実施例であって、アダプター取付用プレートをアダプタ―に固定する前の状態を示した構造説明用の斜視図である。
【図６】本発明の第二実施例であって、開口部カバーを取り付けた状態を示した外観の斜視図である。
【図７】本発明の第三実施例であって、引掛シーリングローゼットにアダプターを取り付ける状態を示す斜視図である。
【図８】本発明の第三実施例であって、アダプター取付用プレートの構成を示す図である。（a）は裏側から見た底面図、（ｂ）は底面図におけるY-Y線断面図、（ｃ）は正面図である。
【図９】本発明の第三実施例であって、アダプター取付用プレートの斜視図である。
【図１０】本発明の第三実施例であって、アダプター取付用プレートを取り付ける状態を説明する斜視図である。（a）はアダプターの下からアダプター取付用プレートを嵌めこんだ状態を示し、（ｂ）はアダプターを通り抜けたアダプター取付用プレートをアダプターに対して９０度回転させた状態を示し、（ｃ）はアダプター取付用プレートを下降させてアダプターの突出部上に載置した状態を示す。
【図１１】本発明の第三実施例であって、アダプター取付用プレートをアダプタ―に固定する前の状態を示した構造説明用の一部切欠斜視図である。
【発明を実施するための形態】
【００３２】
図面を使って、本発明の実施の形態を説明する。
【実施例１】
【００３３】
図１は、本発明の第一実施例であって、アダプター取付用プレートをアダプタ―に固定する前の状態を示した構造説明用の斜視図である。図１に示すようにアダプタ―取付用プレート２００の下に、灯具接続具３００の上端に設けられた第一の鍔部３５０が吊下ボルト（吊下部材）３２０ａ、吊下ボルト（吊下部材）３２０ｂ、吊下ボルト（吊下部材）３２０ｃによって吊下げられている。吊下ボルト（吊下部材）３２０ｂに対向する位置にも、吊下ボルト（吊下部材）が設けられているが、図示は省略する。第一の鍔部３５０の下には円筒状の第一の側壁部３４０が形成され、第一の側壁部３４０の下端には照明器具取付部３１０が形成されている。照明器具取付部３１０には、照明器具の本体パイプ７００が固定されている。なお、本体パイプ７００は照明器具本体の最上部であるが、照明器具本体の全体図は省略する。
【００３４】
この状態では、開口部カバー４００は、本体パイプ７００で支えられており、開口部３３０は覆われていない。アダプタ―１１０からは電源ケーブル１１２が引き出され、一方本体パイプ７００からは灯具接続具３００の内部を通って配線ケーブル５１０が引き出されていて、電源ケーブル１１２の先端に電源コネクタ１１４、配線ケーブル５１０の先端に配線コネクタ５０２が設けられている。そして開口部３３０から電源コネクタ１１４と配線コネクタ５０２が引き出されている。
【００３５】
図２は、本発明の第一実施例であって、アダプタ―取付用プレートをアダプターに固定した状態を示した構造説明用の斜視図である。図２に示すように、アダプタ―取付用プレート２００の内穴２１０がアダプター１１０の出没片１１６と係合している。この状態では照明器具本体が固定された照明器具取付装置１００は、天井に固定されており、手で支える必要がない。作業者は、照明器具取付装置１００をアダプタ―１１０に固定した後に、電源コネクタ１１４と配線コネクタ５０２とを接続する。
【００３６】
図３は、本発明の第一実施例であって、開口部カバーを取り付けた状態を示した構造説明用の一部切欠斜視図である。図２の状態から開口部カバー４００が上方に持ち上げられる途中の状態を示している。電源コネクタ１１４と配線コネクタ５０２とで接続された電源ケーブル１１２と配線ケーブル５１０が、灯具接続具３００内に収められた後に、開口部カバー４００が上方に持ち上げられ、開口部カバー４００のボルト穴３２４ａを貫通した吊下ボルト３２０ａに長ナット３２２ａが螺合することで、開口部カバー４００の第二の鍔部３５２が灯具接続具３００の第一の鍔部３５０に固定される。吊下ボルト３２０ｃと長ナット３２２ｂも同様である。
【００３７】
図４は、本発明の第一実施例であって、開口部カバーを取り付けた状態を示した外観の斜視図である。図３の状態から開口部カバー４００を定位置まで持ち上げた状態が図４である。開口部カバー４００のボルト穴３２４ａから出ている吊下ボルト３２０ａに長ナット３２２ａが、ボルト穴３２４ｂから出ている吊下ボルト３２０ｃに長ナット３２２ｂが各々螺合されて、開口部カバー４００が灯具接続具３００に固定される。
【００３８】
図５は、本発明の第二実施例であって、アダプター取付用プレートをアダプタ―に固定する前の状態を示した構造説明用の斜視図である。図５を用いて本発明の第二実施例を説明する。第二実施例の第一実施例と異なるところは、開口部カバーの形状である。他の構成は第一実施例と同じであるから説明を省略する。
【００３９】
灯具接続具３００がアダプター１１０に固定される前の状態を示しているのは図１と同じであるが、開口部カバーが第一実施例と異なり左右に半割された第一の開口部カバー４１０と第二の開口部カバー４２０の２つの部品から構成されている。そして第二の開口部カバー４２０の上部内周に上部係合溝４３０が、下部内周に下部係合溝４４０が設けられている。第一の開口部カバーにも同様に係合溝が設けられているが図示は省略する。
【００４０】
電源コネクタ１１４と配線コネクタ５０２とが接続された後に、第一の開口部カバー４１０と第二の開口部カバー４２０とが灯具接続具３００の開口部３３０を覆うように接合される。このとき第二の開口部カバー４２０の上部係合溝４３０と下部係合溝４４０が各々アダプター取付用プレート２００の外周と第一の鍔部３５０の外周に係合する。第一の開口部カバーの上部係合溝(図示省略)と下部係合溝（図示省略）も同様に各々アダプター取付用プレート２００の外周と第一の鍔部３５０の外周に係合する。
【００４１】
図６は、本発明の第二実施例であって、開口部カバーを取り付けた状態を示した外観の斜視図である。灯具接続具３００の開口部（図示省略）が第一の開口部カバー４１０と第二の開口部カバー４２０とによって完全に覆われている。
【００４２】
図７は、本発明の第三実施例であって、引掛シーリングローゼットにアダプターを取り付ける状態を示す斜視図である。引掛シーリングローゼット８００はその下面に係合孔８１０を備え、係合孔８１０が下向きになるように天井に設置される。引掛シーリングローゼット８００は天井裏に敷設される屋内配線に接続され、引掛シーリングローゼット８００の係合孔８１０は内部に屋内配線に電気的に接続された端子を備えている。アダプター１１０は円柱形をしており、その上面には、係合孔８１０と力学的及び電気的に接続する引掛プラグ８５０を備え、引掛シーリングローゼット８００に矢符aの方向に嵌め込んだ後に矢符ｂの方向に回転させることで、ワンタッチで装着できる構造になっている。
【００４３】
アダプタ―１１０は、水平方向に突出する突出部１１８を左右両側に備えており、突出部１１８の上面は、アダプター取付用プレート２００が載置できるように上面に水平面を備えた形状をしている。突出部は２個に限られるものではない。
【００４４】
図８及び図９は、アダプター取付用プレート１００を示している。アダプター取付用プレート２００は、アダプター１１０の断面形状に沿った内穴２１０を備え、アダプター１１０は内穴２１０によって、アダプター１１０の下方から嵌り込んで上方に抜ける構造になっている。
【００４５】
そして、アダプター取付用プレート２００は図１０（a）に示すように、アダプター１１０の下方からアダプター取付用プレート２００の内穴２１０を突出部１１８が切欠穴部２１４a及び２１４ｂの位置にくるように合せてアダプター１１０に嵌め込み（矢符ｃ）、次にアダプター１１０からアダプター取付用プレート２００を上方に抜け出させ、図１０（ｂ）に示すようにアダプター１１０上においてアダプター取付用プレート２００を９０度回転させて（矢符ｄ）、その後下降（矢符e）させるとアダプター１１０の突出部１１８上にアダプター取付用プレート２００を載置することができる。
【００４６】
なお、アダプター取付用プレート２００をアダプタ―１１０の突出部１１８上に載置した後にアダプター取付用プレート２００が振動等で回転して切欠穴部２１４a、２１４ｂがアダプター１１０の突出部１１８の位置まで戻ってしまうとアダプター１１０からアダプター取付用プレート２００が脱落してしまう恐れがある。そこで、アダプター取付用プレート２００には、図８及び図９に示すように、切欠穴部２１４a、２１４ｂにストッパー２０２ａ、２０２ｂ、２０２ｃ、２０２ｄが設けられている。
【００４７】
最後に、図１１を用いて第三実施例の構成を説明する。図１１は、本発明の第三実施例であって、アダプター取付用プレートをアダプタ―に固定する前の状態を示した構造説明用の一部切欠斜視図である。アダプター取付用プレート２００の内穴２１０には、切欠穴部２１４ｂと切欠穴部２１４ｂに対向する位置に切欠穴部２１４ａ（図示省略）が設けられている。そして、アダプター取付用プレート２００の下側には灯具接続具３００の上端に設けられた第一の鍔部３５０が吊下ボルト(吊下部材)３２０ａ、３２０ｂ、３２０ｃによって吊下げられている。吊下ボルト（吊下部材）３２０ｂに対向する位置にも吊下ボルト（吊下部材）が設けられているが、図示は省略する。
【００４８】
アダプター１１０の側部には突出部１１８が対向して２箇所に設けられている。そして、この突出部１１８にアダプター取付用プレート２００の切欠穴部２１４ｂを合せるようにして照明器具取付装置１００を持ち上げて、回転させアダプター取付用プレート２００をアダプター１１０の突出部１１８の上側に載置することになる。アダプター取付用プレート２００とアダプター１１０以外の構成は図１に示す第一実施例と同じであるため、その説明は省略する。
【符号の説明】
【００４９】
１００    照明器具取付装置
１１０    アダプター
１１２    電源ケーブル
１１４    電源コネクタ
１１６    出没片
１１８    突出部
２００    アダプター取付用プレート  
２０２a、２０２ｂ、２０２ｃ、２０２ｄ    ストッパー
２１０    内穴
２１２    円形穴部
２１４a、２１４b    切欠穴部
３００    灯具接続具  
３１０    照明器具取付部  
３２０ａ、３２０ｂ、３２０ｃ    吊下ボルト（吊下部材）
３２２a、３２２ｂ    長ナット
３２４a、３２４ｂ    ボルト穴
３２６a、３２６ｂ、３２６ｃ、３２６ｄ  ボルト穴
３３０    開口部
３４０    第一の側壁部
３４２    第二の側壁部
３４３、３４４    第三の側壁部
３５０    第一の鍔部
３５２    第二の鍔部
３５３、３５４    第三の鍔部
４００    開口部カバー
４１０    第一の開口部カバー
４２０    第二の開口部カバー
４３０    上部係合溝
４４０    下部係合溝
５０２    配線コネクタ
５１０    配線ケーブル
７００    本体パイプ
８００    引掛シーリングローゼット
８１０    係合孔
８５０    引掛プラグ  
ａ、ｂ、ｃ、ｄ、ｅ    矢符
【要約】
【課題】部品点数を減少させた上で、照明器具を容易に仮止めすることができ、その状態で天井引掛シーリングローゼット側の電源ケーブルと照明器具側の配線ケーブルとを容易に接続することができる照明器具取付装置を提供する。
【解決手段】  引掛シーリングローゼットに取り付けられる電源コネクタ１１４を有するアダプター１１０と、配線コネクタ５０２を有する照明器具本体とを接続する照明器具取付装置１００を、アダプター１１０に取り付けられるアダプター取付用プレート２００と、アダプタ―取付用プレート２００下面に設けられた筒状の灯具接続具３００とから構成する。アダプター取付用プレート２００は、アダプター１１０が嵌り込む大きさの内穴２１０を有し、灯具接続具３００は、側面に開口部３３０と底面に照明器具取付部３１０とを有する。
【選択図】図１【図１】
0006981692.tif 000002
【図２】
0006981692.tif 000003
【図３】
0006981692.tif 000004
【図４】
0006981692.tif 000005
【図５】
0006981692.tif 000006
【図６】
0006981692.tif 000007
【図７】
0006981692.tif 000008
【図８】
0006981692.tif 000009
【図９】
0006981692.tif 000010
【図１０】
0006981692.tif 000011
【図１１】
0006981692.tif 000012